(57)【要約】【課題】ローカルディミングにおいて、輝度ムラを抑えつつ、映像の周囲の黒部分のコントラストの低下を軽減する技術。【解決手段】入力画像を表示する表示部と、該表示部を照射する光源と、該表示部及び該光源を制御する制御部を有し、該制御部は、入力画像を複数の領域に分割し、分割した各領域の映像の特徴量に応じて光源の輝度を設定し、光源の輝度制御の下限値である輝度制御下限値を持ち、少なくとも１つの領域における該輝度制御下限値と、他の領域における該輝度制御下限値が異なるという構成を採用した。【選択図】図１
2019090997.tif 000002
【特許請求の範囲】
【請求項１】
入力画像を表示する表示部と、該表示部を照射する光源と、該表示部及び該光源を制御する制御部を有し、
該光源は、複数の領域に分割され、
該制御部は、
入力画像を該複数の領域に対応する範囲に分割し、該範囲毎の映像の特徴量に応じて光源の輝度を設定し、
該特徴量のとりえる最小値に対応する光源の輝度値である輝度制御下限値が、
少なくとも１つの領域と、他の領域とで、異なることを特徴とする画像表示装置。
【請求項２】
前記特徴量は、前記各領域の最大階調値又は平均階調値から定まる値であることを特徴とする請求項１に記載の画像表示装置。
【請求項３】
前記端部は、画像表示装置を設置した際の、表示画面の垂直方向の端部であることを特徴とする請求項１から請求項３のいずれかに記載の画像表示装置
【請求項４】
前記端部は、表示画面の上下の端部であることを特徴とする請求項１から請求項３のいずれかに記載の画像表示装置
【請求項５】
請求項１から４のいずれかに記載の画像表示装置を備えていることを特徴とするテレビジョン受信機。
【発明の詳細な説明】
【技術分野】
【０００１】
本発明は、画像表示装置に関し、より詳細には、画像の画質を向上させるためのローカルディミング機能を備える画像表示装置に関する。
【背景技術】
【０００２】
複数の領域を持ち、領域毎に輝度を変えられるバックライト（以下、照明装置、またはバックライトと称す）を備えた表示装置がある。一般的に、それら表示装置は、表示部に液晶を用いた液晶表示装置として知られている。
【０００３】
入力された画像情報に対応した情報に基づいてバックライトの光源の輝度が制御される。画面が複数の領域に分割され、各領域に対応する入力画像の階調値に基づいて各領域のバックライトの光源の輝度が制御される。これにより、バックライトの消費電力を抑制するとともに、画像の表示品質を改善することができる。この技術はローカルディミングと呼ばれている。
【０００４】
バックライトの光源の輝度を設定する方法の１つとして、入力画像の各領域内の最大階調値を用いる方法が知られている。分割された領域内での最大階調値が大きいほど領域のバックライトの光源の輝度が大きくなるように設定する。分割された領域内での最大階調値が小さい場合にはバックライトの光源の輝度が小さく出来るので、領域毎に、バックライトの輝度を最適化することが出来、全体としては消費電力の低減となる。
【０００５】
また、バックライトの輝度を下げることで、液晶からの光漏れの量も少なくなるため、全体として、コントラストの向上を図ることが出来る。
【０００６】
上述の通り、ローカルディミングを採用する表示装置及びそのための照明装置において、バックライトの輝度を下げることでコントラストの向上を図ることができる一方、領域毎に光源の光量が異なることに起因して、液晶パネルを透過して漏れる光の量が領域毎に異なり、映像によっては領域毎の輝度ムラとして見える問題を招来するときがある。特に映画等を表示させる場合には、忠実な映像表現を求める視聴者も多い。そのため、あえて領域毎の光量の差を小さく、言い換えれば、バックライトの輝度の下限値を高くする場合がある。
【０００７】
しかしながら、映像の上下の黒帯部分に注目すると、領域毎の光量の差を小さくすると、本来、バックライトを点灯する必要が無い領域でもバックライトが点灯することになる。すると、映画などのレターボックスタイプの映像を表示する際、黒部分にも関わらず、バックライトの発光の一部が液晶を透過することとなり得る。本来は、輝度がゼロの黒と表現したい領域が微妙に明るくなり、黒部分のコントラストが低下するという不具合、所謂、黒浮が発生してしまう。
【０００８】
そこで、ローカルディミングにおいて、輝度ムラを抑えつつ、映像の周囲の黒部分のコントラストの低下を軽減する技術が求められていた。
【０００９】
このような問題に対して、従来からも様々な技術が提案されている。例えば、下記特許文献１には、表示パネルに黒帯表示等、特殊な表示状態で画像情報を表示する動作に対応して、バックライトから照射される照射光の照度を変化させて、表示パネルの表示多様性を向上させると共に、バックライトにおける消費電力の低減を図ることができる照明装置及びその発光駆動方法、並びに、該照明装置をバックライトとして備えた表示装置が提案
されている。この技術は、映像の黒帯部分を検出して、その部分のバックライト輝度を下げるものである。
【先行技術文献】
【特許文献】
【００１０】
【特許文献１】特開２００４−２１２５０３号
【発明の概要】
【発明が解決しようとする課題】
【００１１】
しかしながら、上記特許文献１に記載の技術では、映像の黒帯部分を検出して、その部分のバックライト輝度を下げることで、黒帯部分の黒浮を軽減できるものの、黒帯以外の部分で、領域毎にバックライトの輝度を変化させる構成ではない。そのため、ローカルディミングにおける課題解決とはなっていない。
【００１２】
本発明は、上記実情に鑑み、ローカルディミングにおいて、輝度ムラを抑えつつ、黒帯部分の黒浮を軽減出来る画像表示装置を提供することを目的とする。
【課題を解決するための手段】
【００１３】
本発明に係る画像表示装置は、入力画像を表示する表示部と、該表示部を照射する光源と、該表示部及び該光源を制御する制御部を有し、該光源は、複数の領域に分割され、該制御部は、入力画像を該複数の領域に対応する範囲に分割し、該範囲毎の映像の特徴量に応じて光源の輝度を設定し、該特徴量のとりえる最小値に対応する光源の輝度値である輝度制御下限値が、少なくとも１つの領域と、他の領域とで、異なることを手段とする。
【発明の効果】
【００１４】
本発明に係る画像表示装置によれば、光源の輝度制御の下限値を領域毎に調整することにより、映像全体の輝度ムラを抑えつつ、映像の上下の黒帯部分の輝度を下げ、黒を引き締め、映像の品位を向上させることが出来る。
【図面の簡単な説明】
【００１５】
【図１】本発明に係る表示装置のブロック図である。
【図２】本発明に係る表示装置の一実施形態を説明する図である。
【図３】バックライト点灯率変換部を説明する図である。
【図４】領域毎のバックライト輝度制御を説明する図である。
【図５】表示部とバックライト部の関係を示す図である。
【図６】領域毎のバックライト輝度制御を説明する図である。
【発明を実施するための形態】
【００１６】
本発明である画像表示装置は、ローカルディミングにおいて、輝度ムラを抑えつつ、黒帯部分の黒浮を軽減出来ることを最大の特徴とする。以下、実施例を図面に基づいて説明する。
【００１７】
なお、本実施例で示される画像表示装置の全体形状及び各部の形状は、下記に述べる実施例に限定されるものではなく、本発明の技術的思想の範囲内、即ち、同一の作用効果を発揮できる形状及び寸法の範囲内で変更することができるものである。
（実施例１）
図１から図４に沿って、本発明の構成を説明する。
【００１８】
図１は、本発明に係る表示装置のブロック図である。図２は、本発明に係る表示装置の一実施形態を説明する図である。図３（ａ）は、点灯率変換部の特性を示す図である。図
３（ｂ）、図４は、バックライト部の輝度制御を説明する図である。
【００１９】
図１は、本発明に係る表示装置のブロック図で、画像表示装置の要部の構成例を示すものである。画像表示装置は、入力画像信号に画像処理を施して表示するものである。例えば、画像表示装置は、図２のように、テレビジョン受信機等を構成する。ただし、本実施例は一実施例であり、本発明の趣旨に合致する範囲で他の実施例も適用可能であることは勿論である。
（ブロック図の説明）
表示装置１は、要部として表示部１００、バックライト部２００、エリア制御部３００、信号処理部４００で構成されている。また図示しない電源、チューナ、デコード部等とテレビ受信装置等を構成する。
外部から入力された映像信号やアンテナ、チューナを介して受信した放送コンテンツなどの映像信号を画像処理し映像品位を高め、対応する映像情報を、表示部１００の液晶パネルとバックライト部２００のＬＥＤ光源の構成によって表示するものである。また、ローカルディミングを行うことによって、映像のコントラストを高めている。
【００２０】
図１を用いて簡潔に、信号の流れを説明すると、入力された画像信号は、信号処理部４００で、ノイズ除去等される。次に、エリア制御部３００で、バックライト部２００のための信号と表示部１００のための信号が生成される。バックライト部２００には、複数の領域毎のバックライト点灯率が算出され、送られる。表示部１００には、バックライト点灯率に応じた補正が加えられた画像信号が、送られる。表示部１００にバックライト部２００からの光が照射され、表示部１００に映像が表示される。
以下、ブロック毎に説明する。
【００２１】
表示部１００は、映像を表示する部分である。バックライト部２００からの光を画素単位で制御することで映像を表示する。表示パネル部１０２は、一般的には液晶パネルであり、カラーフィルタを備えた液晶シャッタをマトリクス状に構成している。マトリクスの各画素毎に電圧を設定し、それに応じた液晶シャッタの開閉量を得ることで、各画素の輝度を制御する。画素数は、例えば１９２０ｘ１０８０である。各画素は、ＲＧＢのサブ画素からなる。
【００２２】
表示制御部１０１は、表示部１００の各画素に対して、液晶シャッタの開閉量を制御するための電圧を供給する部分である。表示制御部１０１に入力される画像信号を表示部１００に表示するための信号に変換する。変換された信号は、ソースドライバ、ゲートドライバを通して、表示部１００に送られ、各画素の電圧を設定する。
【００２３】
バックライト部２００は、バックライト制御部２０１、バックライトドライバ部２０２，光源基板部２０３から構成されている。以下、バックライト部は、単に光源とも表現する。表示部１００に光を照射し、表示部１００の映像を表示させるものである。光源基板部２０３は、ＬＥＤ（light emitting diode）素子が実装された基板で構成される。ローカルディミング技術を用いるので、光源基板部２０３は、複数の領域に分割される。例えば、図３（ｂ）の例では、縦４列、横６列に分割されている。また、図５の例では、縦１２列、横１８列に分割されている。それぞれの発光領域２０４等毎に、光の量である輝度を制御できる。
【００２４】
輝度の制御はバックライト点灯率に応じて行われる。輝度をどの程度低い値まで制御するかを示す値、言い換えれば、「映像の特徴量のとり得る最小値に対応する光源の輝度値」を輝度制御下限値とする。図３（ｂ）の例では、２４個、個別に制御する。図５の場合は、２１６個、個別に制御することになる。
【００２５】
各発光領域２０４は隣接する領域との間に仕切りを設ける場合もある。そうすると、隣接する領域に光が洩れず、光を効率的に使うことが出来る。発光領域２０４には、ＬＥＤ素子が、１つ又は複数配置される。
【００２６】
バックライト点灯率１００％の際の輝度値は、例えば１０００ｃｄ／ｍ２である。点灯率に応じて、リニアに輝度値は変換する。
【００２７】
バックライトドライバ部２０２は、バックライト制御部２０１からの駆動信号に応じて、光源基板部２０３の各発光領域２０４毎に光源の駆動電力を出力するものである。発光領域２０４の数分のドライバ回路を持ち、個別に光源の駆動電流を出力する。
【００２８】
バックライト制御部２０１は、エリア制御部３００で生成された領域毎の点灯率信号を、オン時間とオフ時間の比で表わすＰＷＭ（パルス幅変調：Ｐｕｌｓｅ  Ｗｉｄｔｈ  Ｍｏｄｕｌａｔｉｏｎ）に変換する。ＰＷＭ信号は、バックライトドライバ部２０２に送られる。ＰＷＭとするのは回路が単純で、比較的高い精度が出しやすいからである。
【００２９】
また、ＰＷＭに限らず電流制御としても良い。その際は、点灯率に応じた電圧の信号をバックライトドライバ部２０２に送ることになる。
【００３０】
エリア制御部３００は、ローカルディミングの制御を行うブロックである。以下、エリア制御部は、制御部とも表現する。画像を光源部２０３の発光領域２０４に対応するように分割し、それぞれのバックライト点灯率信号と画像信号を生成する。
【００３１】
階調算出部３０１は、信号処理部４００から入った画像信号から、階調値を算出する。以下、階調値が８ビットで表現される、つまり０から２５５の値を持つ場合を例として説明する。信号処理部４００から入った画像信号を発光領域２０４に対応する領域毎に画像を分割し、それぞれの領域において代表となる階調値を算出する。領域が２４個ある場合は、代表階調値も２４個算出される。代表階調値の算出方法にはいくつかの方法がある。領域内の最大階調値を用いる、または平均階調値を用いる他に、領域内の階調値のヒストグラムを用いる方法もある。例えば、ヒストグラムの最大値を代表階調値とする以外に、ノイズ等の影響を防ぐために、ヒストグラムの高階調側で有る程度の画素数が該当する階調を代表階調値としても良い。１つのみ飛び抜けた値の場合は、ノイズの可能性が高いためである。算出した代表階調値は点灯率算出部３０２に送られる。
点灯率算出部３０２では、代表階調値に応じた点灯率が算出される。代表階調値の０から２５５が、点灯率の０％から１００％に対応する。算出された点灯率の値は、入力ＢＬ点灯率として、点灯率変換部３０３に送られる。
点灯率への変換は、一般的には、線形に変換される。但し、電力の制限や、画面輝度の調整等で点灯率を下げる場合もある。
【００３２】
点灯率変換部３０３は、領域毎にローカルディミングの強さを変える部分であり、本発明で重要な部分である。点灯率算出部３０２から入力された点灯率を所定の変換式で出力ＢＬ点灯率に変換する。出力ＢＬ点灯率はバックライト制御部２０１に送られる。点灯率の変換は、各領域毎に行われる。変換式を領域毎に変えることも出来る。変換式は、ローカルディミングの強さを変える式である。ローカルディミングの強さとは、バックライトの調整量の大きさである。ローカルディミングの強さが強いほうがバックライトの調整量が大きくなり、映像のコントラストが大きくなる。ローカルディミングの強さが弱いとバックライトの調整量が小さくなり、コントラストが小さくなる。また、ローカルディミングの強さは、点灯率の変化幅に対応している。ローカルディミングの強さが、強ければ変化幅が大きければ、弱ければ変化幅が小さくなる。
【００３３】
また、ＬＥＤ素子の輝度で考えると、ＬＥＤの輝度の制御の下限の輝度値を示す輝度制御下限値は、ローカルディミングの強さが強い場合、低く、ローカルディミングの強さが弱い場合に、高くなる。
【００３４】
領域毎に、ローカルディミングの強さを変えることが出来ることから、例えば、画面の上、中央、下の範囲に分け、画面の中央のローカルディミングの強さを弱くし、画面の上、下部分のローカルディミングの強さを強くすることも可能である。
【００３５】
画像補正部３０４は、バックライトの点灯率に応じて、画像を補正する部分である。点灯率１００％での画像の階調値を考えると、点灯率が５０％になった場合、表示パネル部１０２に対して照射させる光の量は略半分になる。そのため、映像の明るさを維持するためには、画像の階調値を略倍にする必要がある。
このように、領域毎に点灯率を変えた場合は、画像も領域毎に補正を行う必要がある。
【００３６】
また、領域の明るさは、周囲の領域の点灯率も関与することから、それらを含む補正も行う。補正された画像信号は表示制御部１０１に送られる。
【００３７】
信号処理部４００は、表示装置１に入力された映像信号に対して、画像処理を行う部分である。具体的には、画像の階調特性をトーンマッピング等によって調整したり、フィルタ処理を行うことで、ノイズ低減や部分強調等を行う。また、画像のサイズによっては、解像度を変更するスケーリング等も行う。また、メニュー表示やチャンネル表示等の情報をＯＳＤとして、画像に重畳する処理も行う。処理された画像信号はエリア制御部３００に送られる。
（点灯率変換特性の説明）
次に、図３、図４に沿って、バックライト点灯率の変換について説明する。図３（ａ）は、バックライト点灯率変換部の入出力特性である。図３（ｂ）は、ある画像が入力された際の各発光領域２０４のバックライトの点灯率を示す図である。一例として、画像は画面中央付近が２５５階調で、端部に向けて徐々に階調が下がり、端部の階調が０となるものである。画面の中央部は、階調２５５を含むので、点灯率算出部３０２で算出される点灯率は１００％である。
【００３８】
同様に、その周囲は、中間階調程度の画像であるので点灯率は５０％であり、端部の領域は階調値が０であるので、点灯率が０％である。
【００３９】
図３（ａ）のグラフは、点灯率を変換するものである。Ｘ軸が入力ＢＬ点灯率で、Ｙ軸が出力ＢＬ点灯率である。
【００４０】
特性は、以下の式で表わされる。
【００４１】
ＢＬＯＵＴ＝ｃ×ＢＬＩＮ＋（１−ｃ）    ・・・式（１）
ｃ：ローカルディミングの強さ（ｃは０から１の実数）
ｃが１の場合が、グラフのＴ１と図４（ａ）に対応する。ｃ＝１は、最もローカルディミングが強いと表現する。順に、ｃが０．８の場合がＴ２、図４（ｂ）に対応し、ｃが０．５の場合がＴ３、図４（ｃ）に対応する。ｃ＝０．８は、ローカルディミングの強さがやや弱め、又は効果がやや弱めと表現する。ｃ＝０．５は、ローカルディミングの強さが弱い、又は効果が弱いと表現する。
【００４２】
また、出力ＢＬ点灯率に応じた、輝度で光源基板部２０３が発光する。光源基板部２０３の素子の性能等で発光量は決まる。一例として、点灯率１００％時の輝度値を１０００ｃｄ／ｍ２とする。
【００４３】
点灯率と輝度は線形で対応するので、点灯率５０％時は５００ｃｄ／ｍ２、点灯率２０％時は２００ｃｄ／ｍ２となる。
【００４４】
また、グラフで、入力ＢＬ点灯率が０％の時の輝度が最も低いことから、入力ＢＬ点灯率が０％時の輝度を輝度制御下限値とする。
【００４５】
ローカルディミングの強さが１の場合について説明する（図４（ａ））。グラフのＴ１に該当する。入力ＢＬ点灯率として入力された値がそのまま、出力ＢＬ点灯率として出力される。入力１００％に対して、出力１００％、入力０％に対して、出力０％である。そのため、点灯率の変化範囲は最も高い。入力ＢＬ点灯率が０％の時の出力ＢＬ点灯率は０％であることから輝度制御下限値は０ｃｄ／ｍ２である。
【００４６】
同様に、入力ＢＬ点灯率５０％の際の出力ＢＬ点灯率は、５０％（P点）、輝度制御下
限値は５００ｃｄ／ｍ２である。
【００４７】
次に、ローカルディミングの強さが０．８の場合について説明する（図４（ｂ））。グラフのＴ２に該当する。入力ＢＬ点灯率１００％の際、出力は、入力と同じ１００％であるが、入力ＢＬ点灯率０％の際、出力は、２０％である。そのため、点灯率の変化範囲は、ｃ＝１の場合よりも狭い。入力ＢＬ点灯率が０％の時の出力ＢＬ点灯率は２０％であることから輝度制御下限値は２００ｃｄ／ｍ２である。
【００４８】
同様に、入力ＢＬ点灯率５０％の際の出力ＢＬ点灯率は、６０％、輝度制御下限値は６００ｃｄ／ｍ２である。
【００４９】
なお、ローカルディミングの強さの程度として、所定の入力値に対する出力値について説明したが、グラフの傾きで表わしてもよい。つまり、ローカルディミングの強さが強いとはグラフの傾きが大きいことであり、ローカルディミングの強さが弱いとはグラフの傾きが小さいことを示す。
【００５０】
次に、ローカルディミングの強さが０．５の場合について説明する（図４（ｃ））。グラフのＴ３に該当する。入力ＢＬ点灯率１００％の際、出力は、入力と同じ１００％であるが、入力ＢＬ点灯率０％の際、出力は、５０％である。そのため、点灯率の変化範囲は、ｃ＝１、０．８の場合よりも狭い。入力ＢＬ点灯率が０％の時の出力ＢＬ点灯率は５０％であることから輝度制御下限値は５００ｃｄ／ｍ２である。
【００５１】
同様に、入力ＢＬ点灯率５０％の際の出力ＢＬ点灯率は、７５％（点Q）、輝度制御下
限値は７５０ｃｄ／ｍ２である。
【００５２】
なお、入力ＢＬ点灯率から出力ＢＬ点灯率を作る際、式（１）の計算式に基づいて生成してもいいし、ルックアップテーブルを用いて生成してもよい。
【００５３】
ここで、画面のコントラストと輝度ムラについて検討する。画面のコントラストとは、表示パネル部１０２の液晶シャッタの１００％開口時と０％開口時のパネル表面の輝度の比率である。液晶シャッタが０％開口、つまり閉じた時に、バックライトの光を完全に遮断することが出来ない。そのため、液晶シャッタが０％開口時のパネル表面の輝度も、バックライトの輝度に関係する。液晶シャッタが０％開口時のバックライトの輝度が低いほど、液晶シャッタの１００％開口時のパネル表面の輝度との差が大きくなり、コントラストが大きくなる。
輝度ムラとは、本来均一の輝度の映像でありながら、性能が十分で無い等によって、画面
の輝度がばらつく問題である。ローカルディミングの場合は、領域毎に輝度を変化させる。隣接する領域で極端にバックライト点灯率が変わると、単調な絵柄の場合、或いは、厳密に画面を確認した場合に輝度ムラとして認識されやすい。
【００５４】
入力ＢＬ点灯率が５０％となる領域Ｒ１と０％となる領域Ｒ２について考える。ｃ＝１の場合（図４（ａ））の場合、隣接する領域である領域Ｒ１と領域Ｒ１の点灯率の差は５０％、輝度の差は５００ｃｄ／ｍ２である。
【００５５】
すると、領域Ｒ２である階調値０、液晶シャッタが０％開口時の領域のバックライトの輝度が０ｃｄ／ｍ２であることから、液晶シャッタの１００％開口時のパネル表面の輝度との差が大きくなり、コントラストが大きくなる。
【００５６】
また、隣接する領域Ｒ１、Ｒ２の点灯率の差、輝度差が大きいことから、輝度ムラは出やすくなる。
【００５７】
これに対して、ｃ＝０．５（図４（ｃ））の場合、隣接する領域である領域Ｒ１と領域Ｒ１の点灯率の差は２５％、輝度の差は２５０ｃｄ／ｍ２である。
【００５８】
すると、領域Ｒ２である階調値０、液晶シャッタが０％開口時の領域のバックライトの輝度が５００ｃｄ／ｍ２であることから、液晶シャッタの１００％開口時のパネル表面の輝度との差は小さくなり、コントラストが小さくなる。
【００５９】
また、隣接する領域Ｒ１、Ｒ２の点灯率の差、輝度差が小さいことから、輝度ムラは出にくくなる。
【００６０】
ｃ＝０．８（図４（ｂ））の場合は、ｃ＝１、ｃ＝０．５の中間の効果となる。
【００６１】
このように、点灯率変換部３０３によって、ローカルディミングの強さを変えることで、コントラストの効果や輝度ムラの程度を変えることが出来る。言い換えれば、コントラスト重視と輝度ムラ改善重視を変えることができる。
（上下黒帯時の説明）
次に、図５、図６に沿って、領域毎にローカルディミングの強度を変える例を示す。図５は、表示部とバックライト部の関係を示す図である。図６は、領域毎のバックライト輝度制御を説明する図である。
【００６２】
図５（ａ）は、光源基板部２０３を示す図であり、縦方向１２、横方向１８に分割され、２１６の領域で構成されている。それぞれの発光領域２０４毎に、ローカルディミングの強さを変えることが出来る。列はＡ列からＲ列、行は１行から１２行である。
【００６３】
図５（ｂ）は、表示パネル部１０２及び、表示パネル部１０２に表示された画像Ｐである。画像Ｐは、レターボックスタイプの画像であり、画面の上下に黒帯部分ＢＫを持つ。黒帯部分ＢＫの割合は上下とも１２％程度である。図５（ｃ）は、ローカルディミングの強度ｃを、行単位で変更した場合の例である。１行目、１２行目が、ｃ＝１（斜線部分）。その他の行がｃ＝０．５である。
【００６４】
図６は図５（ｃ）の拡大図である。画像Ｐは１１行目に半分ほどかかり、１１行目の下半分と１２行目は、黒帯部分ＢＫにかかっている。図６（ａ）は、１、１２行目も含めてｃ＝０．５の場合である。１１行目は、画像Ｐの輝度階調に応じて、７５％から８５％の点灯率である。１２行目については、すべて黒帯部分ＢＫであり、ｃ＝０．５であるから、式（１）に従って、５０％となる。輝度制御下限値は、５００ｃｄ／ｍ２の輝度値とな
る。
【００６５】
すると、黒帯部分であるにも関わらず、５０％の点灯率でバックライトが点灯されるために、液晶から透けてくる光の影響で、１２行目の領域が黒浮してしまう。別の表現でいえば、黒の締まりが悪くなる。特に、レターボックスタイプの映画の場合には、常に、黒い帯が見えることになり、黒浮が目立ってしまうことになる。
【００６６】
次に、図６（ｂ）は、１、１２行目がｃ＝１で、他はｃ＝０．５の例である。１１行目は、画像Ｐの輝度階調に応じて、７５％から８５％の点灯率である。１２行目については、すべて黒帯部分ＢＫであり、ｃ＝１であるから、式（１）に従って、０％となる。輝度制御下限値は０となる。
【００６７】
すると、黒帯部分でバックライトが点灯しないため、液晶から透けてくる光の影響がなくなり、１２行目の領域の黒浮が発生しない。別の表現でいえば、黒の締まりが良くなる。特に、レターボックスタイプの映画の場合には、常に、黒い帯が見えることになり、黒浮が発生しないことは映像の品位を向上させる。黒帯部分ＢＫは、１１行目にも含まれることから、１１行目の黒浮についても懸念される。しかし、画像Ｐの高輝度の表示に極めて近いことから１１行目の黒浮は、１２行目よりも目立たない。
【００６８】
このように、本発明によれば、画面の上下端において、ローカルディミングの強度を上げることによって、輝度ムラを抑えつつ、映像の周囲の黒部分のコントラストの低下を軽減するものである。
【００６９】
また、実施例として、直下型バックライトを例として説明したが、これに限らず、光源を導光板の側面から照射するエッジ型のバックライトでも、複数の領域で光源の輝度を変えることができる構造であれば、適当可能である。
【００７０】
また、このような制御は、レターボックス等の黒帯の入った映像が表示される可能性が高い映画を視聴している際に行われると好適である。
【００７１】
例えば、画質を切り替えるＡＶモードにおける映画モードの際に、行うと好適である。
【００７２】
また、コンテンツが映画の際に、行うと好適である。
【００７３】
また、画面を複数に分割し、各々の範囲でローカルディミングの強度を変えることで、視聴者に好みのレベルの選択を容易にすることも出来る。
【００７４】
また、変換特性において重要となるのは、輝度制御下限値であることから、非線形に輝度制御下限値を変更する制御を行っても良い。
【００７５】
また、点灯率を変換する際、周囲の領域の点灯率を参照するようにしても良い。
【符号の説明】
【００７６】
１    表示装置
１００  表示部
１０１  表示制御部
１０２  表示パネル部
２００  バックライト部（光源）
２０１  バックライト制御部
２０２  バックライトドライバ部
２０３  光源基板部
２０４  発光領域
３００  エリア制御部（制御部）
３０１  階調算出部
３０２  点灯率算出部
３０３  点灯率変換部
３０４  画像補正部
４００  信号処理部
Ｐ    画像
ＢＫ  黒帯部分
【図１】
2019090997.tif 000003
【図２】
2019090997.tif 000004
【図３】
2019090997.tif 000005
【図４】
2019090997.tif 000006
【図５】
2019090997.tif 000007
【図６】
2019090997.tif 000008